(57)【要約】【課題】提供される香りの精度を高めることが可能な香り提供器、及び、香り提供装置を提供する。【解決手段】香り提供装置は、空気の入る入口と空気の出る出口とが形成された気化容器１０と、入口と出口との間に空気を流通させる通気部１３と、液体香料が気化する表面を有する香料保持体１５ａ〜１５ｃとを備える。変更部１９ａ〜１９ｃは、気化容器１０に対する香料保持体１５ａ〜１５ｃの変位によって、香料保持体１５ａ〜１５ｃの表面のうち、気化容器１０の内部に露出される部分の面積を変更する。制御部は、変更部１９ａ〜１９ｃによる変更を制御する。【選択図】図１
2014000266.tif 000002
【特許請求の範囲】
【請求項１】
空気の入る入口と空気の出る出口とが形成された気化容器と、
液体香料が気化する気化部を表面に有する香料保持体と、
前記気化容器に対する前記香料保持体の変位によって、前記気化部のうち前記気化容器の内部に露出される部分の面積を変更する変更部と
を備える香り提供器。
【請求項２】
空気の入る入口と空気の出る出口とが形成された気化容器と、
前記入口と前記出口との間に空気を流通させる通気部と、
液体香料が気化する気化部を表面に有する香料保持体と、
前記気化容器に対する前記香料保持体の変位によって、前記気化部のうち前記気化容器の内部に露出される部分の面積を変更する変更部と、
前記変更部による変更を制御する制御部と、
を備える香り提供装置。
【請求項３】
前記気化容器には、前記気化容器の内部と前記気化容器の外部とを連通して前記気化部が進入及び退出する孔が形成され、
前記気化容器における内部の圧力を前記孔の内部の圧力よりも高くする圧力設定部をさらに備える
請求項２に記載の香り提供装置。
【請求項４】
液体香料が貯留された貯留部を備え、
前記香料保持体は、前記気化部からの液体香料の気化に伴い、毛細管現象に基づいて前記貯留部から液体香料を吸収する
請求項２または３に記載の香り提供装置。
【請求項５】
前記香料保持体の表面では、液体香料の気化を抑制する気化抑制被膜によって前記気化部が区切られている
請求項２〜４のいずれか一項に記載の香り提供装置。
【請求項６】
前記香料保持体は、
一つの方向に延びる形状をなし、
前記変更部は、
前記香料保持体の延びる方向に沿って前記香料保持体を移動させて前記気化部を前記気化容器に対して差し込み及び抜き出しすることにより、前記気化部のうち前記気化容器の内部に露出される部分の面積を変更する
請求項２〜５のいずれか一項に記載の香り提供装置。
【請求項７】
前記変更部は、
前記香料保持体を回転させることにより、前記気化部のうち前記気化容器の内部に露出される部分の面積を変更する
請求項２〜５のいずれか一項に記載の香り提供装置。
【請求項８】
前記制御部は、
画像及び音声の少なくとも一方の出力を示す信号を受けて前記変更部による変更を制御する
請求項２〜７のいずれか一項に記載の香り提供装置。
【発明の詳細な説明】
【技術分野】
【０００１】
本開示の技術は、液体香料の気化を利用して香りを提供する香り提供器、及び、香り提供装置に関する。
【背景技術】
【０００２】
従来から、複数の種類の香料を備え、これら複数の種類の香料を混合することによって、予め用意された香料の種類よりも多くの種類の香りを作り出す香り提供装置が知られている。例えば、特許文献１に記載の装置では、外部から送信される情報に基づいて、所定の比率で香料が混合されることにより、所望の香りが作り出される。また、非特許文献１に記載の装置では、動画と連動して香料の混合比率が制御されることにより、動画の場面に応じた香りが提供される。
【先行技術文献】
【特許文献】
【０００３】
【特許文献１】特開２０１０−２５７１２６号公報
【非特許文献】
【０００４】
【非特許文献１】月刊ディスプレイ  ２０１０年９月号（第１６巻９号・通巻１８４号）、第７２頁〜第７９頁（ＩＳＳＮ  １３４１−３９６１）
【発明の概要】
【発明が解決しようとする課題】
【０００５】
ところで、香料から香りを発生させる方法の１つに、容器に入った液体香料の液面に向けて空気を送り込むことによって液体香料を気化させる方法がある。こうした方法を、上述のような複数の種類の香料を用いて香りを作り出す香り提供装置に採用した場合の構成を図１２に示す。
【０００６】
図１２に示されるように、互いに異なる種類の液体香料が入った３つの香料容器１００ａ，１００ｂ，１００ｃの各々は、エアーポンプ等からなる送風機構１１０に対して並列に接続されている。送風機構１１０から香料容器１００ａ〜１００ｃに送られた空気は、香料容器１００ａ〜１００ｃ内の液体香料の液面に向けて放出される。これによって液体香料が気化する結果、液体香料の蒸気を含んだ空気が香料容器１００ａ〜１００ｃから排出される。また、送風機構１１０には、香料容器１００ａ〜１００ｃと並列に、香料容器を経由しない送風路が接続されている。この送風路は、液体香料の蒸気を含まない空気が流通する。
【０００７】
送風機構１１０と香料容器１００ａ，１００ｂ，１００ｃとを繋ぐ送風路の各々には、送風路を開閉する制御弁１２０ａ，１２０ｂ，１２０ｃが設けられている。そして、制御弁１２０ａ〜１２０ｃの開度が制御されることによって、送風機構１１０から香料容器１００ａ〜１００ｃ内の液体香料に送気される空気の流量が制御される。また、香料容器を経由しない送風路にも制御弁１２０ｄが設けられており、その開度の制御によって香料容器を経由しない送風路に送気される空気の流量が制御される。
【０００８】
香料容器１００ａ〜１００ｃから排出された液体香料の蒸気を含む空気と、香料容器を経由しない送風路を通った液体香料の蒸気を含まない空気とは、合流されて外部に放出される。このとき、制御弁１２０ａ〜１２０ｄの開度の制御によって、放出される空気中における各々の液体香料の蒸気を含む空気、及び、液体香料の蒸気を含まない空気の量の比率が変更されることにより、複数の種類の香りが作り出される。
【０００９】
しかしながら、香料容器１００ａ〜１００ｃの内部では、香料容器１００ａ〜１００ｃの配置された環境での温度に応じて、液体香料の自然な気化が少なからず進行するため、例えば、香料容器１００ａに空気が送られない場合であっても、香料容器１００ａからの香りが少なからず提供されることになる。また、香料容器１００ａに対して再び空気が送られる場合、空気が送られた直後には、香料容器１００ａから高い濃度で香りが提供されることになる。
【００１０】
このような実情に鑑みて、本開示の技術は、提供される香りの精度を高めることが可能な香り提供器、及び、香り提供装置を提供することを目的とする。
【課題を解決するための手段】
【００１１】
本開示における香り提供器の一態様は、空気の入る入口と空気の出る出口とが形成された気化容器と、液体香料が気化する気化部を表面に有する香料保持体と、前記気化容器に対する前記香料保持体の変位によって、前記気化部のうち前記気化容器の内部に露出される部分の面積を変更する変更部とを備える。
【００１２】
本開示における香り提供装置の一態様は、空気の入る入口と空気の出る出口とが形成された気化容器と、前記入口と前記出口との間に空気を流通させる通気部と、液体香料が気化する気化部を表面に有する香料保持体と、前記気化容器に対する前記香料保持体の変位によって、前記気化部のうち前記気化容器の内部に露出される部分の面積を変更する変更部と、前記変更部による変更を制御する制御部と、を備える。
【００１３】
上記各々の態様によれば、香料保持体の気化部のうち、気化容器の内部に露出される部分の面積が変更されるため、気化容器から流れ出る空気に含まれる気化した香料の量を変更することができる。そして、気化容器の内部における香料の量が、露出される部分の面積によって直接変更されるため、提供する香りの精度を高めることが可能となる。
【００１４】
本開示における香り提供装置の他の態様は、前記気化容器には、前記気化容器の内部と前記気化容器の外部とを連通して前記気化部が進入及び退出する孔が形成され、前記気化容器における内部の圧力を前記孔の内部の圧力よりも高くする圧力設定部をさらに備える。
【００１５】
上記の他の態様によれば、気化容器の内部の圧力が気化容器に形成される孔の内部の圧力よりも高くされるため、香料保持体が孔から抜き出される場合があっても、孔の内部の気化した香料を含んだ空気が気化容器内に流れ込むことが抑制される。したがって、孔における香りが気化容器の内部の香りと混ざることを抑えることができるため、提供する香りの精度を高めることが可能となる。
【００１６】
本開示における香り提供装置の他の態様は、液体香料が貯留された貯留部を備え、前記香料保持体は、前記気化部からの液体香料の気化に伴い、毛細管現象に基づいて前記貯留部から液体香料を吸収する。
【００１７】
上記の他の態様によれば、香料保持体が、毛細管現象によって液体香料を吸収するため、気化部から気化した香料の量に応じて香料保持体に液体香料が吸収されるため、香料保持体に対する液体香料の供給量が過剰になったり不足したりすることを抑えることができる。
【００１８】
本開示における香り提供装置の他の態様は、液体香料の気化を抑制する気化抑制被膜によって前記気化部が区切られている。
上記の他の態様によれば、気化部以外の表面に液体香料が含まれる場合であっても、気化抑制被膜によって気化部が区切られるため、香料保持体から気化する香料の量は、気化容器の内部に露出された気化部の面積に相当する。したがって、香料保持体から気化する香料の量をより的確に制御することができるため、提供する香りの精度をさらに高めることが可能となる。
【００１９】
本開示における香り提供装置の他の態様では、前記香料保持体は、一つの方向に延びる形状をなし、前記変更部は、前記香料保持体の延びる方向に沿って前記香料保持体を移動させて前記気化部を前記気化容器に対して差し込み及び抜き出しすることにより、前記気化部のうち前記気化容器の内部に露出される部分の面積を変更する。
【００２０】
上記の他の態様によれば、香料保持体の延びる方向に沿って香料保持体が移動するため、気化容器の内部に露出される部分の面積の変動が香料保持体の移動量によって把握される。したがって、香り提供装置の提供する香りの強さの設定を簡易に行うことができる。
【００２１】
本開示における香り提供装置の他の態様は、前記変更部は、前記香料保持体を回転させることにより、前記気化部のうち前記気化容器の内部に露出される部分の面積を変更する。
【００２２】
上記の他の態様によれば、香料保持体が回転運動されるため、香料保持体が直線運動される場合と比較して、香料保持体の移動に必要な空間を小さくすることができる。したがって、香り提供装置の小型化が可能となる。
【００２３】
本開示における香り提供装置の他の態様は、前記制御部は、画像及び音声の少なくとも一方の出力を示す信号を受けて前記変更部による変更を制御する。
上記の他の態様では、画像及び音声の少なくとも一方の出力に応じて香りを提供するため、高い精度で提供する香りを制御することが要求される。したがって、こうした制御態様を対象とすることにより、香り提供装置としての有用性が高められる。
【発明の効果】
【００２４】
本開示の技術によれば、提供する香りの精度を高めることが可能となる。
【図面の簡単な説明】
【００２５】
【図１】本開示における第１の実施形態での香り提供器の構成を通気部とともに示す斜視図である。
【図２】第１の実施形態における香料保持体の斜視構造を示す斜視図である。
【図３】第１の実施形態における香料保持体の断面構造を示す断面図である。
【図４】第１の実施形態における香料保持体の断面構造を示す断面図である。
【図５】第１の実施形態の香り提供装置の断面構造を示す断面図である。
【図６】第１の実施形態の香り提供装置の電気的構成示すブロック図である。
【図７】第１の実施形態の香り提供装置の断面構造を示す断面図である。
【図８】第１の実施形態の香り提供装置の断面構造を示す断面図である。
【図９】本開示の技術における第２の実施形態での香り提供器の構成を通気部とともに示す斜視図である。
【図１０】第２の実施形態の香り提供装置の断面構造を示す断面図である。
【図１１】第２の実施形態における気化機構の変形例を示す斜視図である。
【図１２】従来の香り提供装置の構成を示す図である。
【発明を実施するための形態】
【００２６】
（第１の実施形態）
本開示の技術における香り提供器、及び、香り提供装置の第１の実施形態について、図１〜図８を参照して説明する。なお、本実施形態の香り提供装置は、音声付動画の進行に応じて、予め設定された香りを提供する装置である。まず、香り提供器、及び、香り提供装置の構成について、図１を参照して説明する。
【００２７】
図１に示されるように、気化容器１０は、両端に開口が形成された矩形筒状をなす入口側筐体部１１と、両端に開口が形成された筒状をなして入口側筐体部１１に連結される開口が拡開された出口側筐体部１２とから構成される。
【００２８】
入口側筐体部１１における両端の開口のうち、出口側筐体部１２側の開口とは異なる開口である流入口１０ａは、気化容器１０の外部の空気を気化容器１０の内部に入れる入口である。一方、出口側筐体部１２における両端の開口のうち、入口側筐体部１１側の開口とは異なる開口である流出口１０ｂは、気化容器１０の内部の空気を気化容器１０の外部に出す出口である。気化容器１０の内部には、流入口１０ａと流出口１０ｂとを繋ぐ空気の流路Ｆ１が形成されている。流路Ｆ１は、入口側筐体部１１の内部では、断面積が一定とされ、出口側筐体部１２の内部では、流出口１０ｂに向かって断面積が小さくなるように形成されることで、不要な送風抵抗の発生を抑制している。
【００２９】
気化容器１０にて流入口１０ａの形成された端部には、電動ファン等から構成される通気部１３が組み付けられる。そして、通気部１３が駆動されると、気化容器１０の外部の空気が流入口１０ａから気化容器１０の内部に送り込まれる。気化容器１０に送り込まれた空気は、流路Ｆ１を流通した後に、流出口１０ｂから気化容器１０の外部へ放出される。
【００３０】
気化容器１０の側部には、第１気化機構１４ａと第２気化機構１４ｂと第３気化機構１４ｃとの３つの気化機構が設けられている。これら３つの気化機構１４ａ〜１４ｃは、流路Ｆ１における空気の流通方向に沿って並設されている。なお、これら３つの気化機構１４ａ〜１４ｃと上記気化容器１０とによって香り提供器が構成されている。
【００３１】
第１気化機構１４ａは、液体香料を保持する第１香料保持体１５ａと、第１香料保持体１５ａを支持する第１支持部１６ａとから構成される。第１香料保持体１５ａは、セラミック等の多孔質焼結体からなり、流路Ｆ１における空気の流通方向と交差する方向に延びる板状に形成されている。第１香料保持体１５ａにおけるその長手方向の一端は、気化容器１０の外部に配置されて、気化容器１０の外部における第１香料容器１７ａ内の液体香料に繊維材１８ａを介して接続されている。そして、液体香料は、毛細管現象によって繊維材１８ａを経由して第１香料保持体１５ａに吸収される。
【００３２】
第１支持部１６ａは、第１香料保持体１５ａの長手方向に延びる円柱状に形成されて入口側筐体部１１の側壁の外側に固定されている。第１支持部１６ａでは、第１支持部１６ａの長手方向に沿って延びる貫通孔が、入口側筐体部１１の内部に連通し、その貫通孔には、第１香料保持体１５ａが通されている。また、第１支持部１６ａには、第１香料保持体１５ａをその長手方向に沿って往復動させる機構やモーターから構成される第１変更部１９ａが備えられている。そして、第１香料保持体１５ａは、第１変更部１９ａの駆動量に従って、入口側筐体部１１の側壁を貫通して気化容器１０の内部に対して出し入れされる。
【００３３】
第２気化機構１４ｂは、第２香料保持体１５ｂと第２支持部１６ｂとから構成される。また、第３気化機構１４ｃは、第３香料保持体１５ｃと第３支持部１６ｃとから構成される。第２香料保持体１５ｂ及び第３香料保持体１５ｃの各々は、第１香料保持体１５ａとは配置される位置が異なる一方で、それが保持する液体香料に対しては同様の機能を有している。また、第２支持部１６ｂ及び第３支持部１６ｃは、第１支持部１６ａとは配置される位置が異なる一方で、それに通される香料保持体に対しては同様の機能を有している。
【００３４】
すなわち、第２香料保持体１５ｂは、第２香料容器１７ｂ内の液体香料を吸収して保持する。そして、第２香料保持体１５ｂは、第２支持部１６ｂに備えられた第２変更部１９ｂによって、気化容器１０の内部に対して出し入れされる。また、第３香料保持体１５ｃは、第３香料容器１７ｃ内の液体香料を吸収して保持する。そして、第３香料保持体１５ｃは、第３支持部１６ｃに備えられた第３変更部１９ｃによって、気化容器１０の内部に対して出し入れされる。
【００３５】
３つの香料容器１７ａ〜１７ｃの各々には、互いに異なる種類の液体香料が入れられて、３つの香料保持体１５ａ〜１５ｃの各々には、互いに異なる種類の液体香料が供給される。気化容器１０の内部では、液体香料の飽和蒸気圧に基づいて、流路Ｆ１に露出された香料保持体１５ａ〜１５ｃの表面から、流路Ｆ１を流通する空気中に液体香料が気化する。そして、液体香料の蒸気を含む空気が流出口１０ｂから放出される。これにより、気化容器１０の外部に香りが提供される。
【００３６】
なお、気化容器１０には、図示しないベルトや留め具等が設けられており、こうした気化容器１０を備える香り提供装置は、人体の頭部や肩部や首部に装着されて使用される。このとき、流出口１０ｂからは、人体の鼻に向けて空気が放出される。
【００３７】
次に、香料保持体１５ａ〜１５ｃの詳細な構成について、図２から図４を参照して説明する。なお、上述のように、第１香料保持体１５ａと第２香料保持体１５ｂと第３香料保持体１５ｃとは、同様の構成を有しているため、ここでは第１香料保持体１５ａについて説明する。
【００３８】
図２に示されるように、第１香料保持体１５ａは、一方向に延びる板状に形成されている。第１香料保持体１５ａの一端から中央部にかけての表面は、テフロン（登録商標）等の疎水性を有する材料によって形成される気化抑制被膜２０で被覆されている。一方、気化抑制被膜２０で被覆されていない領域である気化部には、疎水性を有する材料によって部分的な疎水化処理が施されている。
【００３９】
図３に示されるように、多孔質焼結体から形成される第１香料保持体１５ａは、表面に凹凸を有している。気化抑制被膜２０で被覆された領域では、凹部内も含めて第１香料保持体１５ａの表面が疎水性材料で覆われている。したがって、気化抑制被膜２０で被覆された領域では、第１香料保持体１５ａに吸収されている液体香料が第１香料保持体１５ａの表面から空気中に気化することが抑制される。また、第１香料保持体１５ａが他の部材と接する場合に、他の部材に第１香料保持体１５ａに吸収されている液体香料が付着することも抑制される。
【００４０】
一方、図４に示されるように、気化抑制被膜２０で被覆されていない領域である気化部では、第１香料保持体１５ａの表面における凸部の上部にのみ、疎水性材料からなる疎水部２１が形成されている。すなわち、第１香料保持体１５ａが他の部材と接する場合に、他の部材と直接に接する部分のみが疎水性材料で覆われている。したがって、疎水部２１が形成された凸部の上部以外の表面部分からは、第１香料保持体１５ａに吸収されている液体香料が空気中に気化する。一方で、第１香料保持体１５ａが他の部材と接する場合に、他の部材に第１香料保持体１５ａに吸収されている液体香料が付着することが抑制される。
【００４１】
次に、気化機構１４ａ〜１４ｃの詳細な構成について、図５を参照して説明する。なお、第１気化機構１４ａと第２気化機構１４ｂと第３気化機構１４ｃとは、同様の構成を有しているため、ここでは第１気化機構１４ａについて説明する。
【００４２】
気化容器１０にて第１支持部１６ａが固定される部位には、雌ネジ部３０が形成されている。また、第１支持部１６ａにて気化容器１０に固定される側の端部には、雄ネジ部３１が形成されている。これら雄ネジ部３１が雌ネジ部３０に螺着されることによって、気化容器１０に第１支持部１６ａが固定される。また、雄ネジ部３１の螺着が解除されることによって、第１支持部１６ａは気化容器１０から取り外される。
【００４３】
取り外しが可能であることは、本気化機構で発生する香料を交換する際に香料保持体ごと交換する作業を容易にする効果がある。
第１支持部１６ａの内部には、雄ネジ部３１が形成された端部側に、第１支持部１６ａの長手方向に沿って延びる第１挿通孔３２が形成されている。また、第１支持部１６ａの内部には、第１支持部１６ａの長手方向に沿って延び第１支持部１６ａの外部と第１挿通孔３２とを連通する第２挿通孔３３が形成されている。これら第１挿通孔３２と第２挿通孔３３とによって、第１支持部１６ａの内部には、第１支持部１６ａの挿通される通路が形成されている。気化容器１０の側壁にて、第１挿通孔３２と向かい合う部位には、気化容器１０の内部の流路Ｆ１と第１支持部１６ａの内部とを連通する連通孔３４が形成されている。
【００４４】
第１香料保持体１５ａは、第１挿通孔３２に通されることによって、第１支持部１６ａに支持されている。そして、第１香料保持体１５ａは、第１支持部１６ａに備えられる第１変更部１９ａによって、連通孔３４から気化容器１０の内部に対して差し込み及び抜き出しされる。このとき、第１香料保持体１５ａは、その長手方向を流路Ｆ１における空気の流通方向と直交する方向とし、かつ、板面が広がる方向を空気の流通方向と平行として、気化容器１０の内部へ出し入れされる。すなわち、第１変更部１９ａは、第１香料保持体１５ａを、その長手方向に沿って往復動させる。
【００４５】
なお、第１変更部１９ａは、以下の状態の満たされる範囲で第１香料保持体１５ａをその長手方向に沿って往復動させる。すなわち、第１香料保持体１５ａの長手方向における両端部のうち、気化容器１０に差し込まれる端部とは反対側の端部は、第１支持部１６ａの外部に配置される。また、第１香料保持体１５ａの表面のうち、第１香料保持体１５ａの往復動によって第１支持部１６ａの外部に出る部分には、上述の気化抑制被膜２０が配置される。さらに、第１香料保持体１５ａの表面のうち、第１香料保持体１５ａの往復動によって流路Ｆ１に露出されることがない部分にも、上述の気化抑制被膜２０が配置されている。連通孔３４の内部において、気化容器１０と第１香料保持体１５ａとの間には隙間が形成されて、第１香料保持体１５ａの移動範囲の全体で、気化容器１０と第１香料保持体１５ａとは接触しない。また、第１香料保持体１５ａの挿通される第２挿通孔３３においても、第１支持部１６ａと第１香料保持体１５ａとの間には隙間が形成されて、第１香料保持体１５ａの移動範囲の全体で、第１支持部１６ａと第１香料保持体１５ａとは接触しない。
【００４６】
気化容器１０の側壁には、流路Ｆ１とは別に、連通孔３４と気化容器１０の外部とを連通する負圧流路Ｆ２が形成されている。そして、通気部１３から流路Ｆ１に空気が送り込まれると、流路Ｆ１内の圧力は、連通孔３４内の圧力よりも高くなり、且つ、負圧流路Ｆ２内の圧力よりも高くなる。したがって、連通孔３４内及び負圧流路Ｆ２内には、流路Ｆ１から空気が流れ込むこととなる。なお、流路Ｆ１、負圧流路Ｆ２、及び通気部１３によって圧力設定部が構成されている。
【００４７】
気化容器１０の底壁には、負圧流路Ｆ２の出口となる排出口３５が形成され、排出口３５には、空気中に含まれる香料を吸着する吸着剤３６が設けられている。そして、負圧流路Ｆ２を通って排出口３５から気化容器１０の外部へ出る空気からは、香料に起因する香りが取り除かれる。
【００４８】
次に、香り提供装置の電気的構成について図６を参照して説明する。
図６に示されるように、香り提供装置は、気化機構１４ａ〜１４ｃにおける香料保持体１５ａ〜１５ｃの移動の態様を制御する制御部４０と、制御部４０からの信号を受けて変更部１９ａ〜１９ｃが有するモーターを駆動する駆動部４１とを備えている。
【００４９】
制御部４０は、外部の再生装置５０から送信される香り特定情報を受信する。香り特定情報は、再生装置５０にて再生される音声付動画の進行時刻に応じて規定されている情報であり、所定の進行時刻に香り提供装置にて発生させる香りを特定する情報である。すなわち、香り特定情報には、香料保持体１５ａ〜１５ｃに保持される３種類の液体香料のそれぞれについて、所定の進行時刻にて気化させる香料の量に関する情報が含まれる。
【００５０】
制御部４０は、受信した香り特定情報に基づき、香料保持体１５ａ〜１５ｃのそれぞれについて、気化容器１０の内部への挿入量を算出する。そして、制御部４０は、算出された香料保持体１５ａ〜１５ｃごとの挿入量に基づいて変更部１９ａ〜１９ｃごとの制御信号を駆動部４１に送信する。
【００５１】
駆動部４１は、制御部４０からの第１変更部１９ａに対する制御信号に応じて、第１変更部１９ａが備える第１駆動モーターＭａの駆動電流を生成し、その駆動電流を第１駆動モーターＭａに出力する。第１駆動モーターＭａは、駆動部４１から入力される駆動電流によって駆動されて、第１香料保持体１５ａをその長手方向に移動させる。これにより、第１香料保持体１５ａの気化容器１０の内部への挿入量が変更される。また、駆動部４１は、制御部４０からの第２変更部１９ｂに対する制御信号に応じて、第２変更部１９ｂが備える第２駆動モーターＭｂの駆動電流を生成し、その駆動電流を第２駆動モーターＭｂに出力する。第２駆動モーターＭｂは、駆動部４１から入力される駆動電流によって駆動されて、第２香料保持体１５ｂをその長手方向に移動させる。これにより、第２香料保持体１５ｂの気化容器１０の内部への挿入量が変更される。また、駆動部４１は、制御部４０からの第３変更部１９ｃに対する制御信号に応じて、第３変更部１９ｃが備える第３駆動モーターＭｃの駆動電流を生成し、その駆動電流を第３駆動モーターＭｃに出力する。第３駆動モーターＭｃは、駆動部４１から入力される駆動電流によって駆動されて、第３香料保持体１５ｃをその長手方向に移動させる。これにより、第３香料保持体１５ｃの気化容器１０の内部への挿入量が変更される。
【００５２】
このように、制御部４０の制御によって、変更部１９ａ〜１９ｃは、気化容器１０に対して香料保持体１５ａ〜１５ｃを変位させて、香料保持体１５ａ〜１５ｃの表面のうち、気化容器１０の内部の流路Ｆ１に露出される部分の面積を変更する。この際に、制御部４０は、こうした変更部１９ａ〜１９ｃによる香料保持体１５ａ〜１５ｃの変位を、第１香料保持体１５ａ、第２香料保持体１５ｂ、第３香料保持体１５ｃの各々について独立に制御する。
【００５３】
続いて、上述のように構成される香り提供器、及び、香り提供装置の作用について図７及び図８を参照して説明する。
図７に示されるように、第１香料保持体１５ａが気化容器１０の内部から抜き出された状態にされると、流路Ｆ１に第１香料保持体１５ａの表面が露出されなくなるため、第１香料保持体１５ａから流路Ｆ１を流れる空気中に液体香料が気化しなくなる。その結果、気化容器１０から放出される空気中における第１香料保持体１５ａから気化した香料の量が少なくなる。
【００５４】
図８に示されるように、第１香料保持体１５ａが気化容器１０の内部へ差し入れられると、その挿入量が大きくなるにつれて流路Ｆ１に露出される第１香料保持体１５ａの表面の面積が大きくなるため、第１香料保持体１５ａから流路Ｆ１を流れる空気中に気化する液体香料の量が大きくなる。その結果、気化容器１０から放出される空気中における第１香料保持体１５ａから気化した香料の量が多くなる。
【００５５】
このように、第１香料保持体１５ａの気化容器１０の内部への挿入量が、第１香料保持体１５ａが流路Ｆ１から全て抜き出された状態と、第１香料保持体１５ａの気化抑制被膜２０で被覆されていない領域が全て流路Ｆ１に差し入れられた状態との間で、段階的もしくは連続的に変更される。これにより、気化容器１０から放出される空気中に含まれる第１香料保持体１５ａから気化した香料の量が制御される。そして、第２香料保持体１５ｂと第３香料保持体１５ｃの各々についても、気化容器１０の内部への挿入量がそれぞれ変更されることによって、気化容器１０から放出される空気中に含まれる第２香料保持体１５ｂから気化した香料の量と第３香料保持体１５ｃから気化した香料の量とが制御される。その結果、気化容器１０から放出される空気中における３種類の香料の比率が制御されて、所定の香りが作り出される。
【００５６】
このように、流路Ｆ１を流れる空気中に気化する香料の量が、香料保持体１５ａ〜１５ｃの露出される部分の面積によって直接変更されるため、気化容器１０から放出される空気中に含まれる香料の量は、予め設定されたものになる。結果として、香り提供装置として提供する香りの精度を高めることが可能となる。
【００５７】
特に、香料保持体１５ａ〜１５ｃの延びる方向に沿って香料保持体１５ａ〜１５ｃが移動するため、流路Ｆ１に露出される部分の面積の変動が香料保持体１５ａ〜１５ｃの移動量によって把握される。したがって、香り提供装置の提供する香りの強さの設定を簡易に行うことができる。
【００５８】
また、先の図７に示されるように、第１香料保持体１５ａが気化容器１０の内部から抜き出された状態においては、流路Ｆ１内の圧力が連通孔３４内及び負圧流路Ｆ２内の圧力よりも高いため、連通孔３４内及び負圧流路Ｆ２内から流路Ｆ１に空気が流れ込むことが抑制される。したがって、連通孔３４内及び負圧流路Ｆ２内の第１香料保持体１５ａから気化した香料を含む空気が、流路Ｆ１に流れ込んで、気化容器１０から放出される空気中の香料の比率に影響を与えることを抑えることができる。これによっても、香り提供装置として提供する香りの精度を高めることが可能となる。また、第１香料保持体１５ａが板状に形成されるため、第１香料保持体１５ａの移動方向における断面積を小さく抑えられる。したがって、連通孔３４の開口面積を小さく抑えることが可能となり、これによっても、連通孔３４から流路Ｆ１に空気が流れ込むことが抑制される。
【００５９】
また、圧力差に起因して流路Ｆ１から連通孔３４内及び負圧流路Ｆ２内に流れ込んだ空気は、吸着剤３６によって香料が除去された後に、排出口３５から気化容器１０の外部に出る。したがって、排出口３５から気化容器１０の外部へ出る空気が、気化容器１０から放出される香りに影響を与えることを抑えることができる。これによっても、香り提供装置として提供する香りの精度を高めることが可能となる。
【００６０】
また、第１香料保持体１５ａの表面のうち、第１香料保持体１５ａの往復動によって第１支持部１６ａの外部に出る部分には、気化抑制被膜２０が形成されているため、気化容器１０の外部で第１香料保持体１５ａから液体香料が気化することを抑えることができる。これによっても、液体香料が気化容器１０の内部以外の場所で気化して気化容器１０から放出される香りに影響を与えることが抑えられて、香り提供装置として提供する香りの精度を高めることが可能となる。
【００６１】
さらに、連通孔３４内や第２挿通孔３３内において、第１香料保持体１５ａの周囲には隙間が形成されているため、第１香料保持体１５ａは他の部材と接触しない。したがって、第１香料保持体１５ａに吸収されている液体香料が他の部材に付着して、気化容器１０の内部以外の場所で気化することを抑制することができる。また、第１香料保持体１５ａの表面では、気化抑制被膜２０で被覆された領域はもとより、気化抑制被膜２０で被覆されていない領域でも、第１香料保持体１５ａの表面における凸部の上部に疎水部２１が形成されている。したがって、第１支持部１６ａの第１挿通孔３２等、第１香料保持体１５ａと接触する部材があったとしても、接触する部材に第１香料保持体１５ａに吸収されている液体香料が付着して、気化容器１０の内部以外の場所で気化することを抑制することができる。これによっても、香り提供装置として提供する香りの精度を高めることが可能となる。
【００６２】
また、先の図１２に示される従来の香り提供装置では、気化に必要な液面の面積を確保できる大きさの香料容器が液体香料の数だけ必要であるとともに、香料容器への送気量を制御する制御弁を備えた空気の流路も香料容器の数に対応して必要となるため、装置が大型化せざるを得ない。これに対して、本実施形態の香り提供装置では、１つの流路Ｆ１内にて液体香料の気化量の制御が行われる。したがって、液体香料ごとに空気の流路となる配管や空気の輸送量を制御する制御弁等を設ける必要がないため、香り提供装置としての小型化が可能となる。
【００６３】
また、先の図１２に示される従来の香り提供装置では、空気の流路として微細な配管を使用することにより装置の小型化を図ることも可能ではあるが、この場合、配管内での送風抵抗が大きくなるため、送風機構として大きな動力が必要となり、その結果、消費電力の増大が避けられないものとなる。これに対して、本実施形態の香り提供装置では、液体香料ごとに空気の流路を設ける構成と比較して、空気の流路の断面積を広く確保することが可能なため、流路への送気に必要な消費電力の増大も抑制される。
【００６４】
特に、香料保持体１５ａ〜１５ｃが板状に形成されて、その板面が広がる方向が空気の流通方向と平行とされるため、流路Ｆ１において空気の流れを遮る部分を小さく抑えることができる。したがって、流路Ｆ１を流れる空気の偏りや、抵抗の増加に起因した消費電力の増大を抑制することができる。また、気化機構１４ａ〜１４ｃが、流路Ｆ１における空気の流通方向に沿って並設されているため、これによっても、流路Ｆ１において空気の流れを遮る部分を小さく抑えることができる。
【００６５】
また、液体香料は、毛細管現象によって、気化した量に応じて香料保持体１５ａ〜１５ｃに吸収される。したがって、香料容器１７ａ〜１７ｃから香料保持体１５ａ〜１５ｃに液体香料を供給するための機械的な構成を備える必要がないため、香り提供装置としての構成を簡易にすることができる。また、表面から気化した液体香料の量に応じて香料保持体１５ａ〜１５ｃに液体香料が吸収されるため、香料保持体１５ａ〜１５ｃに対する液体香料の供給量が過剰になったり不足したりすることを抑えることができる。
【００６６】
なお、本実施形態では、気化容器１０と気化機構１４ａ〜１４ｃと制御部４０と通気部１３とから香り提供装置が構成される。
以上説明したように、第１の実施形態によれば、以下に列挙する効果が得られる。
【００６７】
（１）気化容器１０の内部を流通する空気に含まれる香料の量が、香料保持体１５ａ〜１５ｃの流路Ｆ１に露出される部分の面積によって直接変更されるため、提供する香りの精度を高めることが可能となる。
【００６８】
（２）１つの流路Ｆ１内にて液体香料の気化、及び気化量の制御が行われるため、液体香料ごとに空気の流路となる配管や空気の輸送量を制御する制御弁等を設ける必要がない。したがって、香り提供装置としての小型化が可能となる。
【００６９】
（３）１つの流路Ｆ１内にて液体香料の気化、及び気化量の制御が行われるため、液体香料ごとに空気の流路を設ける構成と比較して、空気の流路の断面積を広く確保することができる。したがって、流路への送気に必要な消費電力の増大が抑制される。
【００７０】
（４）気化容器１０内の圧力が、連通孔３４内及び負圧流路Ｆ２内の圧力よりも高くされるため、香料保持体１５ａ〜１５ｃが連通孔３４から抜き出される場合があっても、連通孔３４内及び負圧流路Ｆ２内における香料を含んだ空気が気化容器１０の内部に流れ込むことが抑制される。
【００７１】
（５）負圧流路Ｆ２の出口である排出口３５に吸着剤３６が設けられることにより、負圧流路Ｆ２から外部へ排出される空気から香料を除去することができる。
（６）香料保持体１５ａ〜１５ｃが、毛細管現象によって液体香料を吸収するため、香料保持体に液体香料を供給するための機構を別に設ける必要がない。したがって、香り提供装置としての構成を簡易にすることが可能となる。
【００７２】
（７）また、毛細管現象によって、表面から気化した液体香料の量に応じて香料保持体１５ａ〜１５ｃに液体香料が吸収されるため、香料保持体１５ａ〜１５ｃに対する液体香料の供給量が過剰になったり不足したりすることを抑えることができる。
【００７３】
（８）香料保持体１５ａ〜１５ｃの表面のうち、気化容器１０の外部に露出される部分には、気化抑制被膜２０が形成されているため、気化容器１０の外部で香料保持体１５ａ〜１５ｃから液体香料が気化することを抑えることができる。また、接触する部材に香料保持体１５ａ〜１５ｃに吸収されている液体香料が付着して、気化容器１０の内部以外の場所で気化することも抑制することができる。
【００７４】
（９）香料保持体１５ａ〜１５ｃの表面のうち、気化抑制被膜２０が形成されていない領域には、香料保持体１５ａ〜１５ｃの表面における凸部の上部に疎水部２１が形成されているため、接触する部材に香料保持体１５ａ〜１５ｃに吸収されている液体香料が付着して、気化容器１０の内部以外の場所で気化することを抑制することができる。
【００７５】
（１０）香料保持体１５ａ〜１５ｃが一方向に延びる板状に形成されて、その板面が広がる方向が流路Ｆ１における空気の流通方向と平行とされるため、流路Ｆ１において空気の流れを遮る部分を小さく抑えることができる。したがって、流路Ｆ１を流れる空気の偏りや、抵抗の増加に起因した消費電力の増大を抑制することができる。また、香料保持体１５ａ〜１５ｃの移動方向における断面積を小さく抑えられるため、連通孔３４の開口面積を小さく抑えることが可能となる。したがって、連通孔３４から流路Ｆ１に空気が流れ込むことが抑制される。
【００７６】
（１１）香料保持体１５ａ〜１５ｃの延びる方向に沿って香料保持体が移動するため、気化容器１０の内部に露出される部分の面積の変動が香料保持体１５ａ〜１５ｃの移動量によって把握される。したがって、香り提供装置の提供する香りの強さの設定を簡易に行うことができる。
【００７７】
（１２）制御部４０が、音声付動画の進行時刻に応じて、変更部１９ａ〜１９ｃによる香料保持体１５ａ〜１５ｃの流路Ｆ１に露出される部分の面積の変更の態様を制御する。こうした制御態様では、音声付動画の進行に合わせて所定の時刻に所定の香りを提供するために、高い精度で提供する香りを制御することが要求される。したがって、本実施形態の香り提供装置において、こうした制御態様を採用することにより、香り提供装置としての有用性が高められる。
【００７８】
（第２の実施形態）
本開示の技術における香り提供器、及び、香り提供装置の第２の実施形態について、図９及び図１０を参照して説明する。なお、本実施形態は、第１の実施形態とは気化機構の構成が異なり、その他の基本的な構成は第１の実施形態と同様である。そのため、図９及び図１０では、気化機構の構成を詳細に説明し、第１の実施形態と実質的に同一の構成要素にはそれぞれ同一の符号を付して示し、重複する説明は割愛する。
【００７９】
図９に示されるように、本実施形態では、気化容器１０の底部に、第１気化機構６０ａと第２気化機構６０ｂと第３気化機構６０ｃとの３つの気化機構６０ａ〜６０ｃが設けられている。３つの気化機構６０ａ〜６０ｃは、流路Ｆ１における空気の流通方向に沿って並設されている。この気化機構６０ａ〜６０ｃの詳細な構成について、図１０を参照して説明する。
【００８０】
図１０に示されるように、気化機構６０ａ〜６０ｃは、気化容器１０の底部に設けられた収容部６１に収容されている。収容部６１の内部では、気化機構６０ａ〜６０ｃの収容される空間が互いに区切られている。
【００８１】
第１気化機構６０ａは、液体香料を保持する第１香料保持体６２ａと第１香料保持体６２ａを支持する第１支持部６３ａとから構成されている。第１香料保持体６２ａは、多孔質焼結体からなる半円板状に形成されている。第１香料保持体６２ａには、液体香料への浸漬等によって、予め液体香料が吸収されている。また、第１香料保持体６２ａの表面には、その全面に渡って、第１実施形態での気化部と同じく、第１香料保持体６２ａの表面における凸部の上部にのみ、疎水性材料からなる疎水部が形成されている。
【００８２】
第１支持部６３ａは、角柱状に形成されて、第１香料保持体６２ａにおける直径の中心部に固定されている。第１支持部６３ａの両端は、気化容器１０の底面に連結されている。第１香料保持体６２ａは、第１支持部６３ａを軸として第１支持部６３ａとともに回転可能に第１支持部６３ａに支持される。第１支持部６３ａには、第１香料保持体６２ａを回転させる機構やモーターから構成される第１変更部６４ａが備えられている。
【００８３】
気化容器１０の底面には、気化容器１０の内部の流路Ｆ１と外部とを連通する連通孔６５が形成されている。第１香料保持体６２ａは、第１変更部６４ａによって回転されることにより、連通孔６５から気化容器１０の内部に対して進入及び退出する。
【００８４】
第２気化機構６０ｂ及び第３気化機構６０ｃも、第１気化機構６０ａと同様に構成される。すなわち、第２香料保持体６２ｂは、第２支持部６３ｂに備えられた第２変更部６４ｂによって回転されることにより、気化容器１０の内部に対して進入及び退出する。また、第３香料保持体６２ｃは、第３支持部６３ｃに備えられた第３変更部６４ｃによって回転されることにより、気化容器１０の内部に対して進入及び退出する。
【００８５】
これら変更部６４ａ〜６４ｃによる香料保持体６２ａ〜６２ｃの変位の状態は、第１の実施形態と同様、制御部４０によって、第１香料保持体６２ａ、第２香料保持体６２ｂ、第３香料保持体６２ｃの各々について独立に制御される。
【００８６】
上述の３つの香料保持体６２ａ〜６２ｃには、互いに異なる種類の液体香料が吸収されている。そして、気化容器１０の内部では、流路Ｆ１に露出された香料保持体６２ａ〜６２ｃの表面から、流路Ｆ１を流通する空気中に液体香料が気化する。これにより、気化容器１０の外部に香りが提供される。
【００８７】
また、収容部６１の底面には、収容部６１の内部と収容部６１の外部とを連通する排出口６６が、気化機構６０ａ〜６０ｃの各々が収容される空間ごとに形成されている。排出口６６には、空気中に含まれる香料を吸着する吸着剤６７が設けられている。通気部１３から流路Ｆ１に空気が送り込まれると、流路Ｆ１内の圧力は、連通孔６５内及び収容部６１内の圧力よりも高くなる。したがって、連通孔６５内及び収容部６１内には、流路Ｆ１から空気が流れ込むこととなる。すなわち、収容部６１内には、連通孔６５と排出口６６とを繋ぐ空気の流路である負圧流路Ｆ３が形成される。そして、負圧流路Ｆ３を通って排出口６６から外部へ出る空気からは、吸着剤６７によって、香料に起因する香りが取り除かれる。なお、流路Ｆ１、負圧流路Ｆ３、及び通気部１３によって圧力設定部が構成されている。
【００８８】
次に、上述のように構成される香り提供器、及び、香り提供装置の作用について説明する。
本実施形態では、回転によって第１香料保持体６２ａの気化容器１０の内部への進入量が変更されることにより、流路Ｆ１に露出される第１香料保持体６２ａの表面の面積が変更される。これにより、気化容器１０から放出される空気中に含まれる第１香料保持体６２ａから気化した香料の量が制御される。そして、第２香料保持体６２ｂと第３香料保持体６２ｃの各々についても、気化容器１０の内部への進入量がそれぞれ変更されることによって、気化容器１０から放出される空気中に含まれる各々の香料保持体６２ｂ、６２ｃから気化した香料の量が制御される。その結果、気化容器１０から放出される空気中における３種類の香料の比率が制御されて、所定の香りが作り出される。
【００８９】
このように、本実施形態でも、第１の実施形態と同様、流路Ｆ１を流れる空気中に気化する香料の量が、香料保持体６２ａ〜６２ｃの露出される部分の面積によって直接変更されるため、気化容器１０から放出される空気中に含まれる香料の量は、予め設定されたものになる。結果として、香り提供装置として提供する香りの精度を高めることが可能となる。
【００９０】
特に、本実施形態では、香料保持体６２ａ〜６２ｃが回転運動されることによって流路Ｆ１に出し入れされるため、香料保持体６２ａ〜６２ｃが直線運動される場合と比較して、香料保持体６２ａ〜６２ｃの移動に必要な空間を小さくすることができる。したがって、香り提供装置の更なる小型化が可能となる。また、香料保持体６２ａ〜６２ｃを動かすための駆動機構の構成は、直線運動を行わせる駆動機構に比べて簡易な構成で安価である。したがって、流路Ｆ１に露出される香料保持体６２ａ〜６２ｃの表面の面積を変更する構成を簡易に実現することができる。
【００９１】
また、流路Ｆ１内の圧力が連通孔６５内及び収容部６１内の圧力よりも高いため、連通孔６５内及び収容部６１内から流路Ｆ１に空気が流れ込むことが抑制される。したがって、連通孔６５内及び収容部６１内の第１香料保持体６２ａから気化した香料を含む空気が、流路Ｆ１に流れ込んで気化容器１０から放出される空気中の香料の比率に影響を与えることを抑えることができる。また、圧力差に起因して流路Ｆ１から連通孔６５内及び収容部６１内に流れ込んだ空気は、吸着剤６７によって香料が除去された後に、排出口６６から外部に出る。したがって、排出口６６から気化容器１０の外部へ出る空気が、気化容器１０から放出される香りに影響を与えることを抑えることができる。これによっても、香り提供装置として提供する香りの精度を高めることが可能となる。
【００９２】
また、液体香料が、予め香料保持体６２ａ〜６２ｃに吸収されているため、液体香料を貯留する香料容器や、液体香料を香料保持体６２ａ〜６２ｃへ供給するための構成を備える必要がない。したがって、香り提供装置としての構成を簡易にすることができ、更なる小型化が可能となる。
【００９３】
なお、第２の実施形態において、半円板状の香料保持体６２ａ〜６２ｃに代えて、図１１に示されるように、円板状の香料保持体７０を用いてもよい。この場合、円板の中心部に支持部７１が固定される。また、香料保持体７０の表面のうちの半円部分は、疎水性材料からなる気化抑制被膜２０で被覆されている。そして、気化抑制被膜２０で被覆されていない領域では、香料保持体７０の表面における凸部の上部にのみ、疎水性材料からなる疎水部が形成されている。
【００９４】
このような香料保持体７０を用いた場合にも、香料保持体７０が回転運動されることによって、流路Ｆ１に露出される気化抑制被膜２０で被覆されていない領域である気化部の面積が変えられる。これにより、気化容器１０から放出される空気中に含まれる香料保持体７０から気化した香料の量が制御される。この際、香料保持体７０が円板状に形成されていることにより、香料保持体７０が回転しても、流路Ｆ１において空気の流れを遮る部分の体積は常に一定となる。したがって、香料保持体７０の変位が流路Ｆ１における空気の流れに与える影響を小さくすることができる。
【００９５】
また、円板状の香料保持体７０の中心部を貫通して支持部７１が固定されるため、香料保持体７０と支持部７１との固定の強度が高くなる。したがって、気化機構の強度を高めることが可能となる。
【００９６】
以上説明したように、第２の実施形態によれば、第１の実施形態の（１）〜（５），（９），（１２）の効果に加えて、以下に列挙する効果が得られる。
（１３）香料保持体６２ａ〜６２ｃが回転運動されることによって気化容器１０の内部に出し入れされるため、香料保持体６２ａ〜６２ｃが直線運動される場合と比較して、香料保持体６２ａ〜６２ｃの移動に必要な空間を小さくすることができる。したがって、香り提供装置の更なる小型化が可能となる。
【００９７】
（１４）液体香料が、予め香料保持体６２ａ〜６２ｃに吸収されているため、液体香料を貯留する貯留部や、液体香料を香料保持体６２ａ〜６２ｃへ供給するための構成を備える必要がない。したがって、香り提供装置としての更なる小型化が可能となる。
【００９８】
（他の実施形態）
上記各実施形態は、以下のように変更して実施することが可能である。
・連通孔３４，６５における気化容器１０の内部側の入口に、樹脂等からなる膜を設けて、膜の隙間から香料保持体１５ａ〜１５ｃ，６２ａ〜６２ｃが気化容器１０内へ出し入れされるようにしてもよい。これによれば、連通孔３４，６５内の空気が気化容器１０の内部へ流れ込むことをより適切に抑制することができる。上述のように、連通孔３４，６５内の空気が気化容器１０の内部へ流れ込むことを抑制する上では、連通孔３４，６５は、その開口面積が小さい方がよい。しかしながら、連通孔３４，６５として微細な孔を形成することが困難な場合であっても、上述の膜を設けることによれば、連通孔３４，６５内の空気が気化容器１０の内部へ流れ込むことを抑制することができる。
【００９９】
この際、膜に形成される香料保持体１５ａ〜１５ｃ，６２ａ〜６２ｃが通る隙間は、香料保持体１５ａ〜１５ｃ，６２ａ〜６２ｃが気化容器１０内へ差し込まれている状態において、膜と香料保持体１５ａ〜１５ｃ，６２ａ〜６２ｃとが接触しない大きさであるとよい。膜と香料保持体１５ａ〜１５ｃ，６２ａ〜６２ｃとが接触しないことによって、膜に香料保持体１５ａ〜１５ｃ，６２ａ〜６２ｃが保持する液体香料が付着することが抑えられる。その結果、膜に付着した液体香料が気化して、気化容器１０から放出される香りに影響を与えることが抑制されるため、香り提供装置として発生させる香りの精度を高めることができる。
【０１００】
・第１の実施形態において、第２の実施形態と同様に、液体香料が予め香料保持体１５ａ〜１５ｃに吸収されていてもよい。吸収された液体香料が気化によって消費された場合や、液体香料の種類を変える場合には、支持部１６ａ〜１６ｃを気化容器１０から取り外すことによって、気化機構１４ａ〜１４ｃを交換することが可能である。また、第２の実施形態において、香料保持体６２ａ〜６２ｃには、例えばその中心部等から、液体香料が毛細管現象によって供給されてもよい。
【０１０１】
・香料保持体１５ａ〜１５ｃ，６２ａ〜６２ｃには、例えばポンプ等の機械的な機構によって、能動的に液体香料が供給されてもよい。
・香料保持体１５ａ〜１５ｃ，６２ａ〜６２ｃの形状は、真円形である必要はなく、また、板状に限らず、棒状や球状等、その他の形状であってもよい。
【０１０２】
・香料保持体は、多孔質焼結体に限らず、繊維材などから形成されてもよい。これによっても、毛細管現象によって液体香料を吸収することができる。また、香料保持体は、細かな溝を有する樹脂の表面に液体香料を塗布したものでもよく、要は、液体香料が気化する表面を有していればよい。
【０１０３】
・香料保持体１５ａ〜１５ｃ，６２ａ〜６２ｃを加熱する加熱部が備えられ、香料保持体１５ａ〜１５ｃ，６２ａ〜６２ｃの温度を制御するようにしてもよい。液体香料の気化の程度は、香料保持体１５ａ〜１５ｃ，６２ａ〜６２ｃの温度によっても変わるため、香料保持体１５ａ〜１５ｃ，６２ａ〜６２ｃの温度を制御することによって、提供する香りの精度を高めることができる。
【０１０４】
・香料保持体１５ａ〜１５ｃ，６２ａ〜６２ｃには、同じ種類の液体香料が供給される２以上の香料保持体が含まれてもよい。
・気化機構１４ａ〜１４ｃ，６０ａ〜６０ｃの数は、３つに限らず、任意である。
【０１０５】
・気化機構１４ａ〜１４ｃ，６０ａ〜６０ｃは、流路Ｆ１における空気の流通方向に沿って並設される態様に限らず、空気の流通方向と交差する方向に沿って並設されてもよい。この場合、空気の流通方向に沿って並設される態様と比較して、１つの香料保持体から気化した香料が他の香料保持体に付着することを抑えることができる。また、気化機構１４ａ〜１４ｃ，６０ａ〜６０ｃは、不規則に配置されていてもよい。さらに、気化機構１４ａ〜１４ｃ，６０ａ〜６０ｃは、気化容器１０の内側面にて相互に対向する２つの側面や相互に交差する２つの側面等、複数の側面に配置されてもよい。
【０１０６】
・変更部１９ａ〜１９ｃ，６４ａ〜６４ｃに備えられる駆動源は、モーターに限られない。例えば、第１の実施形態においては、香料保持体１５ａ〜１５ｃと接する材料を振動させ、その摩擦力を利用して香料保持体１５ａ〜１５ｃを往復動するようにしてもよい。
【０１０７】
・吸着剤３６，６７が設けられる位置は、負圧流路Ｆ２，Ｆ３の出口に限らず、負圧流路Ｆ２，Ｆ３の流路内であってもよい。
・通気部１３は、電動ファンに限らず、入口側に連結される圧送ポンプ、又は、出口側に連結される吸引ポンプで構成されてもよい。ただし、上記実施形態のように、通気部が入口側に設けられている方が、気化容器の外部へ放出される空気に含まれる香料が通気部に付着して提供される香りに影響を与えることを抑制することができる。
【０１０８】
・制御部４０が、通気部１３による気化容器１０への送気量を制御するようにしてもよい。これによれば、気化容器１０の内部で香料保持体１５ａ〜１５ｃ，６２ａ〜６２ｃから気化する液体香料の量と、気化容器１０への送気量とが制御されることによって、幅広い香りを提供することが可能となる。
【０１０９】
・制御部４０が受信する香り特定情報は、音声付動画に限らず、音声のみや、表示される静止画に対応して規定される情報であってもよい。すなわち、制御部４０は、画像及び音声の少なくとも一方の出力を示す信号を受けて、変更部１９ａ〜１９ｃ，６４ａ〜６４ｃによる変更を制御してもよい。また、制御部４０は、画像や音声のように利用者の視覚や聴覚に与える情報の他に、利用者の味覚や触覚に与える情報に応じて変更部１９ａ〜１９ｃ，６４ａ〜６４ｃによる変更を制御してもよい。
【０１１０】
・香り特定情報は、予め、香り提供装置に記憶されていてもよい。
・香り提供装置は、音声付動画の進行に応じて予め設定された香りを提供する装置に限らず、時間や場所、その他の要素に応じて予め設定された香りを提供する装置であってもよい。
【０１１１】
・通気部１３を備えず、外気の気流を利用する構成としてもよい。また、制御部４０を備えず、例えば手動で香料保持体１５ａ〜１５ｃ，６２ａ〜６２ｃの位置を調整するようにしてもよい。こうした構成によっても、香り提供器として、提供する香りの精度を高めることが可能となる。
【０１１２】
・香り提供装置は、１つの制御部４０に対し２以上の香り提供器を備えてもよい。
・気化容器１０は、２以上の流入口１０ａを備え、２以上の流入口１０ａの各々は、共通する１つの流出口１０ｂに連通していてもよい。この際に、２以上の流入口１０ａの各々と１つの流出口１０ｂとを繋ぐ流路の各々で、相互に異なる香料保持体の気化部が変位することが好ましい。
【０１１３】
・気化容器１０は、空気の流量を制御する制御弁が設けられていてもよい。
【符号の説明】
【０１１４】
Ｆ１…流路、Ｆ２，Ｆ３…負圧流路、１０…気化容器、１０ａ…流入口、１０ｂ…流出口、１３…通気部、１４ａ〜１４ｃ，６０ａ〜６０ｃ…気化機構、１５ａ〜１５ｃ，６２ａ〜６２ｃ，７０…香料保持体、１６ａ〜１６ｃ，６３ａ〜６３ｃ，７１…支持部、１７ａ〜１７ｃ…香料容器、１９ａ〜１９ｃ，６４ａ〜６４ｃ…変更部、２０…気化抑制被膜、２１…疎水部、３２…挿通孔、３４，６５…連通孔、３６，６７…吸着剤、４０…制御部。
【図１】
2014000266.tif 000003
【図２】
2014000266.tif 000004
【図３】
2014000266.tif 000005
【図４】
2014000266.tif 000006
【図５】
2014000266.tif 000007
【図６】
2014000266.tif 000008
【図７】
2014000266.tif 000009
【図８】
2014000266.tif 000010
【図９】
2014000266.tif 000011
【図１０】
2014000266.tif 000012
【図１１】
2014000266.tif 000013
【図１２】
2014000266.tif 000014